(57)【特許請求の範囲】
【請求項１】
記入欄を有する記入片と、
折り線を介して前記記入片に接続され、前記折り線で折られた閉状態で前記記入片の記入欄を隠蔽可能な隠蔽片とを備え、
前記隠蔽片は、開封側の縁部に沿って設けられた縁部粘着領域を備え、
前記記入片は、
厚さ方向に貫通しない非貫通部で囲まれ、閉状態において前記縁部粘着領域に粘着する領域である縁部被着領域の一部に重なる剥ぎ取り領域と、
前記剥ぎ取り領域から続いて剥離する領域に設けられ、前記縁部被着領域の一部に重なり、閉状態において前記縁部粘着領域の粘着剤が剥離可能に積層される剥離領域とを備え、
前記剥ぎ取り領域は、
前記記入片の縁部であって前記縁部被着領域の端部に設けられており、
前記記入片の一辺と、前記非貫通部とに囲まれた領域であること、
を特徴とする隠蔽媒体。
【請求項２】
請求項１に記載の隠蔽媒体において、
前記剥ぎ取り領域及び前記剥離領域の組み合わせは、前記記入片の縁部であって前記縁部被着領域の両端にそれぞれ設けられていること、
を特徴とする隠蔽媒体。
【請求項３】
請求項２に記載の隠蔽媒体において、
厚さ方向に貫通しない非貫通部により少なくとも一部が囲まれ、閉状態において前記縁部粘着領域に粘着する領域である縁部被着領域の一部に重なる第２剥ぎ取り領域と、
前記第２剥ぎ取り領域から続いて剥離する領域に設けられ、前記縁部被着領域の一部に重なり、閉状態において前記縁部粘着領域の粘着剤が剥離可能に積層される第２剥離領域とを備え、
前記第２剥ぎ取り領域及び前記第２剥離領域の組み合わせは、前記縁部被着領域の前記両端を結ぶ線上に設けられていること、
を特徴とする隠蔽媒体。
【請求項４】
請求項１から請求項３までのいずれか１項に記載の隠蔽媒体において、
前記記入欄は隠蔽情報を記入する欄であること、
を特徴とする隠蔽媒体。
【発明の詳細な説明】
【技術分野】
【０００１】
本発明は、記入した情報を隠蔽する隠蔽媒体に関するものである。
【背景技術】
【０００２】
従来、一方の紙片の一部を他方の紙片に粘着させて隠蔽し、開封の際には一方の紙片の一部に孔を開けることにより、開封履歴として利用する情報隠蔽用シートがあった（例えば特許文献１）。
しかし、従来の情報隠蔽用シートは、紙片に孔を開けてしまうので、紙片の厚さの変化が大きい。このような厚さの変化は、例えば、情報隠蔽用シートの記載内容をシートフィード付きのスキャナ等の読み取り装置で読み取る場合に、装置内の紙詰まりの原因等になったりする。
【先行技術文献】
【特許文献】
【０００３】
【特許文献１】特許第４７７０５７４号公報
【発明の概要】
【発明が解決しようとする課題】
【０００４】
本発明の課題は、開封状態において、厚さの変化を低減した隠蔽媒体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、記入欄（２１）を有する記入片（２０）と、折り線（５）介して前記記入片に接続され、前記折り線で折られた閉状態で前記記入片の記入欄を隠蔽可能な隠蔽片（１０）とを備え、前記隠蔽片は、開封側の縁部に沿って設けられた縁部粘着領域（１２）を備え、前記記入片は、厚さ方向に貫通しない非貫通部（３２，４２，２５２，３５２，４３２，４４２，４５２，６５２）で囲まれ、閉状態において前記縁部粘着領域に粘着する領域である縁部被着領域（２２）の一部に重なる剥ぎ取り領域（３１，４１，２５１，３５１，４３１，４４１，４５１，５３１，５４１，６５１）と、前記剥ぎ取り領域から続いて剥離する領域に設けられ、前記縁部被着領域の一部に重なり、閉じ状態において前記縁部粘着領域の粘着剤が剥離可能に積層される剥離領域（３３，４３，２５３，２５４，３５３，３５４，５３３，５４３，６５３，６５４）とを備えること、を特徴とする隠蔽媒体である。
・第２の発明は、第１の発明の隠蔽媒体において、前記剥ぎ取り領域（３１，４１，４３１，４４１，５３１，５４１）は、前記記入片（２０）の縁部であって前記縁部被着領域（２２）の端部に設けられおり、前記記入片の一辺と、前記非貫通部（３２，４２，４３２，４４２）とに囲まれた領域であること、を特徴とする隠蔽媒体である。
・第３の発明は、第２の発明の隠蔽媒体において、前記剥ぎ取り領域（３１，４１，４３１，４４１，５３１，５４１）及び前記剥離領域（３３，４３，５３３，５４３）の組み合わせは、前記記入片（２０）の縁部であって前記縁部被着領域（２２）の両端にそれぞれ設けられていること、を特徴とする隠蔽媒体である。
・第４の発明は、第３の発明の隠蔽媒体において、前記剥ぎ取り領域（２５１，３５１，４５１，６５１）及び前記剥離領域（２５３，２５４，３５３，３５４，６５３，６５４）の組み合わせは、前記縁部被着領域（２２）の両端に加えて、前記両端を結ぶ線上に設けられていること、を特徴とする隠蔽媒体である。
【発明の効果】
【０００７】
本発明によれば、開封状態において、厚さの変化を低減した隠蔽媒体を提供できる。
【図面の簡単な説明】
【０００８】
【図１】第１実施形態の隠蔽媒体１の開状態を説明する図である。
【図２】第１実施形態の隠蔽媒体１の閉状態を説明する図である。
【図３】第１実施形態の剥ぎ取り領域３１，４１近傍の剥離を説明する図である。
【図４】第１実施形態の開封状態の隠蔽媒体１を説明する図である。
【図５】第２実施形態の隠蔽媒体２０１を説明する図である。
【図６】第３実施形態の隠蔽媒体３０１の開状態を上面から見た図（図１（Ａ）に対応する図）である。
【図７】第４実施形態の隠蔽媒体４０１の開状態、閉状態を上面から見た図である。
【図８】第５実施形態の隠蔽媒体５０１の開状態、閉状態を上面から見た図である。
【図９】第６実施形態の隠蔽媒体６０１の開状態、閉状態を上面から見た図である。
【発明を実施するための形態】
【０００９】
（実施形態）
以下、図面等を参照して、本発明の実施形態について説明する。
（第１実施形態）
図１は、第１実施形態の隠蔽媒体１の開状態を説明する図である。
図１（Ａ）は、隠蔽媒体１を上面から見た図である。
図１（Ｂ）は、図１（Ａ）のＢ−Ｂ部断面図である。
図１（Ｃ）は、図１（Ａ）のＣ−Ｃ部断面図である。
図２は、第１実施形態の隠蔽媒体１の閉状態を説明する図である。
図２（Ａ）は、隠蔽媒体１を隠蔽片１０側から見た図である。
図２（Ｂ）は、図２（Ａ）に接着パターンを重ねて示す図である。
図２（Ｃ）は、図２（Ａ）のＣ−Ｃ部断面図である。
図２（Ｄ）は、図２（Ａ）のＤ−Ｄ部断面図である。
【００１０】
実施形態、図面では、説明と理解を容易にするために、ＸＹＺ直交座標系を設けて説明する。この座標系は、図１の状態を基準に、左右方向Ｘ（左側Ｘ１、右側Ｘ２）、縦方向Ｙ（下側Ｙ１、上側Ｙ２）、厚さ方向Ｚ（下面側Ｚ１、上面側Ｚ２）を表す。
図面では、適宜、隠蔽媒体１の厚さ方向Ｚの構成、各部の構成を誇張して図示する。
また、隠蔽媒体１を閉じる前の開いた状態（図１の状態）を開状態といい、また、隠蔽媒体１を折り線５で折って粘着剤で封をして閉じた状態（図２の状態）を閉状態という。さらに、隠蔽片１０の上面の接着力（粘着力）の分布を、接着パターンという。
【００１１】
図１に示すように、隠蔽媒体１は、例えば隠蔽葉書等の通信用隠蔽媒体である。つまり、隠蔽媒体１は、送付元が記入した情報を隠蔽し、配達者（配送業者等）が配達先に配達するものである。
隠蔽媒体１の材質は、例えば上質紙等である。
隠蔽媒体１は、隠蔽片１０、記入片２０を備える。
隠蔽片１０、記入片２０は、１枚の上質紙等に、縦方向Ｙに平行な折り線５（例えば、押罫、ミシン目等）を加工したものである。隠蔽片１０、記入片２０は、折り線５を介して接続されている。
【００１２】
以下、隠蔽媒体１の構成を説明しながら、接着パターンについて説明する。
（隠蔽片１０）
隠蔽片１０は、閉状態で記入片２０の記入欄２１（後述する）を、隠蔽可能な大きさである。
隠蔽片１０の上面は、接着力が異なる内粘着領域１１、縁部粘着領域１２を備える。
内粘着領域１１は、粘着剤１１ａが露出した領域である。
内粘着領域１１は、記入欄２１よりも大きな領域であり、かつ、閉状態において記入欄２１を覆う。内粘着領域１１は、隠蔽片１０の外形よりも一回り小さい。内粘着領域１１は、隠蔽片１０の下辺、上辺、折り線５と、隠蔽片１０の外形との長さは、数ｍｍ程度である。また、内粘着領域１１の左側Ｘ１には、数ｍｍ程度離れて、縁部粘着領域１２が配置されている。
内粘着領域１１での粘着力は、記入片２０を破壊せずに剥離できる程度であればよい。
【００１３】
開状態では、粘着剤１１ａ，１２ａの保護等のために、隠蔽片１０の上面には、隠蔽片１０と同様な大きさの剥離紙１５が積層されている。この剥離紙１５には、シリコン樹脂等を含んだ剥離層が設けられている。このため、剥離紙１５を剥離後に露出した粘着剤１１ａ，１２ａは、粘着性を維持する。
【００１４】
縁部粘着領域１２は、記入片２０の右縁部に粘着するための粘着剤１２ａが露出した領域である。縁部粘着領域１２は、開封時には開封側となる左縁部に設けられ、左辺に沿った帯状の領域である。縁部粘着領域１２は、下辺から上辺まで連続している。
縁部粘着領域１２は、左端部から数ｍｍ程度離れて配置されている。
【００１５】
縁部粘着領域１２での粘着力は、後述するように、剥ぎ取り領域３１，４１の上面を剥ぎ取れる程度の粘着力を有する。
縁部粘着領域１２の粘着力は、縁部粘着領域１２の粘着力よりも強いことが好適であるが、これに限定されることはない。
また、各粘着領域１１，１２の粘着層の層構成は、上記接着パターンを実現できるものであれば、いずれの構成を用いてもよい。例えば、粘着領域の粘着剤１１ａ，１２ａを共通にして、内粘着領域１１では粘着剤を網点印刷し、一方、縁部粘着領域１２では粘着剤をベタ印刷することにより、粘着領域での粘着力を調整してもよい。
【００１６】
（記入片２０）
左右方向Ｘにおいて、記入片２０の長さは、隠蔽片１０の長さよりも数ｍｍ程度大きい。
記入片２０は、記入欄２１、剥ぎ取り領域３１，４１、剥離領域３３，４３を備える。
記入欄２１は、送信元が隠蔽情報（例えば銀行口座のキャッシュカードのパスワード等）を筆記具等で記入するための欄である。
【００１７】
剥ぎ取り領域３１，４１は、非貫通部３２，４２で囲まれた領域である。
非貫通部３２，４２は、記入片２０を、厚さ方向Ｚに貫通しない切り込みであり、つまり、上面から厚さ方向Ｚの途中の深さまで切り込まれている。
以下、記入片２０のうち、閉状態で縁部粘着領域１２に重なる領域を、縁部被着領域２２ともいう。
剥ぎ取り領域３１，４１は、縁部被着領域２２の一部に重なる。
剥ぎ取り領域３１，４１は、記入片２０の上縁部及び下縁部であって、縁部被着領域２２の縦方向Ｙの両端の縁部に設けられている。剥ぎ取り領域３１の外形は、記入片２０の下辺と、非貫通部３２とに囲まれた長方形又は正方形である。同様に、剥ぎ取り領域４１の外形は、記入片２０の上辺と、非貫通部４２とに囲まれた長方形又は正方形である。
【００１８】
剥離領域３３は、剥ぎ取り領域３１の上側Ｙ２に設けられている。剥離領域４３は、剥ぎ取り領域４１の下側Ｙ１に設けられている。
後述するように、剥離領域３３は、隠蔽片１０を右下コーナ部１０ａから剥離する場合に、隠蔽片１０が剥ぎ取り領域３１から続いて剥離する領域である。一方、剥離領域４３は、隠蔽片１０を右上コーナ部１０ｂから剥離する場合に、隠蔽片１０が剥ぎ取り領域４１から続いて剥離する領域である。
【００１９】
剥離領域３３，４３は、非貫通部３２，４２に連続して設けられている。剥離領域３３，４３の面積は、小さくてよく、後述するように、剥ぎ取り領域３１，４１の剥ぎ取りが非貫通部３２，４２で終わる程度の大きさであればよい。
閉状態では、剥離領域３３，４３は、縁部被着領域２２に重なる。このため、閉状態では、縁部粘着領域１２の粘着剤１２ａは、剥離領域３３，４３に密着し、剥離領域３３，４３に積層した状態になる。
【００２０】
剥離領域３３，４３には、シリコン樹脂等を含んだ剥離剤３３ａ，４３ａが塗布されている。このため、隠蔽片１０の縁部粘着領域１２の粘着剤１２ａは、剥離領域３３，４３に接触しても殆んど粘着性を有さず、剥離領域３３，４３から容易に剥離する。
なお、図面には、図示の都合上、剥離領域３３，４３の剥離剤３３ａ，４３ａは、記入片２０に埋め込められたように示すが、実際には、記入片２０に塗布されることにより、積層されている。
【００２１】
上記構成により、記入片２０は、縁部被着領域２２の縦方向Ｙの両端に、剥ぎ取り領域３１及び剥離領域３３の組み合わせ、剥ぎ取り領域４１及び剥離領域４３の組み合わせが、それぞれ配置される。
【００２２】
（使用方法）
図１から図４を参照しながら隠蔽媒体１の使用方法を説明する。
図３は、第１実施形態の剥ぎ取り領域３１，４１近傍の剥離を説明する図である。
図３では、剥離前の非貫通部３２，４２を太線で示す。
図３（Ｃ）、図３（Ｄ）では、隠蔽片１０を一部切断して図示した。
図４は、第１実施形態の開封状態の隠蔽媒体１を説明する図である。
図４（Ａ）は、隠蔽媒体１を上面から見た図である。
図４（Ｂ）は、図４（Ａ）のＢ−Ｂ部断面図である。
図４（Ｃ）は、図４（Ａ）のＣ−Ｃ部断面図である。
実施形態では、適宜、閉状態から開封した状態を、開封状態という。
【００２３】
（閉じ作業）
送信元の作業者は、記入欄２１に隠蔽情報を記入し、また、剥離紙１５を剥がす（図１の矢印Ｂ１参照）。
作業者は、隠蔽媒体１を、折り線５で、上面を内側になるように折ることにより、隠蔽片１０、記入片２０を、各粘着領域１１，１２の粘着剤１１ａ，１２ａで粘着する（図１の矢印Ｂ２参照）。
図２に示すように、これにより、隠蔽媒体１は、右側Ｘ２を開封側として、閉じることができる。
作業者は、閉じた隠蔽媒体１を、投函したりする。配達者は、隠蔽媒体１を配達先に配達する。
【００２４】
閉状態において、隠蔽片１０、記入片２０の大部分は、内粘着領域１１の粘着剤１１ａによって粘着されている。また、隠蔽片１０、記入片２０の右端部は、縁部粘着領域１２の粘着剤１２ａによって粘着されている。
また、前述したように、剥離領域３３，４３の面積は、十分に小さい。このため、縁部粘着領域１２の粘着剤１２ａは、隠蔽片１０、記入片２０の右縁部の上面のほぼ全体に、直接接触した状態で粘着する。そのため、隠蔽媒体１の右縁部は、十分に強い粘着力で粘着する。
【００２５】
これにより、隠蔽媒体１は、配送時等において、隠蔽媒体１が不意に開いてしまうことを十分に抑制できる。
また、隠蔽媒体１は、周囲に粘着剤１１ａが露出していないし、また、粘着剤１２ａの露出範囲が上縁部、下縁部の僅かな範囲であるため、配送時等において、他の部材に付着することを抑制できる。
【００２６】
（開封作業）
配達先の作業者（受け取り人）は、配達者から閉状態の隠蔽媒体１を受け取ると、これを開く。
作業者は、隠蔽媒体１を、隠蔽片１０の右下コーナ部１０ａ、右上コーナ部１０ｂ（図２（Ａ）参照）のいずれからでも開封できる。
前述したように、記入片２０は、隠蔽片１０の長さよりも数ｍｍ程度大きいので、閉状態では、右縁部に段１０ｃ（図２（Ｄ）参照）が形成される。また、縁部粘着領域１２は、隠蔽片１０の外形から数ｍｍ程度離れて配置されている。このため、作業者は、指等を、隠蔽片１０の端部に容易に引っ掛けることができるので、作業性がよい。
【００２７】
以下、右下コーナ部１０ａから開く例を説明する。
図２（Ａ）、図３（Ａ）に示すように、作業者は、隠蔽片１０の右上コーナ部１０ｂを指でつまんで、左上に向けて引っ張るようにして、隠蔽片１０及び記入片２０を開く（矢印Ａ１参照）。
剥離は、下縁部を左側Ｘ１に向けて進み（矢印Ａ３参照）、また、右縁部を上側Ｙ２に向けて進む（矢印Ａ２参照）。
【００２８】
（右辺を上側Ｙ２に向けて進む剥離）
右辺を上側Ｙ２に向けて進む剥離、つまり、剥ぎ取り領域３１から剥ぎ取り領域４１に進む剥離について説明する。
（１）剥ぎ取り領域３１
図３（Ｂ）に示すように、剥ぎ取り領域３１の剥離開始時には、記入片２０の剥ぎ取り領域３１では、隠蔽片１０の縁部粘着領域１２の粘着力の作用によって、下端から上面の表層３１ａの剥ぎ取りが始まる（図４（Ｃ）参照）。つまり、剥ぎ取り領域３１の表層３１ａは、下端から基材破壊（被着体破壊）が発生する。これは、紙材の端部の表層は、破壊が開始しやすいという性質を有するからである。このように、紙面の表層が剥ぎ取られることを、「紙剥け」ともいう。
【００２９】
（２）剥離領域３３
図３（Ｃ）に示すように、剥離は、続いて剥離領域３３を進む。
剥離領域３３では、隠蔽片１０の縁部粘着領域１２の粘着剤１２ａは、剥離領域３３から容易に剥離する。このため、剥離が剥ぎ取り領域３１から剥離領域３３に移動する場合に、記入片２０の上面は、非貫通部３２から剥ぎ取られることはない。
【００３０】
上記（１）、（２）の作用によって、剥ぎ取り領域３１の表層３１ａの剥ぎ取りは、非貫通部３２までで終わる。
同様に、左右方向Ｘにおいても、剥ぎ取り領域３１の表層３１ａの剥ぎ取りは、非貫通部３２までで終わる。
【００３１】
（３）剥離領域３３上端から剥離領域４３下端までの領域２３
剥離は、続いて領域２３を進む（図示は省略する）。
領域２３では、縁部粘着領域１２の粘着剤１１ａ，１２ａが、直接記入片２０の上面に粘着しているが、紙材の端部以外の上面は、端部からの剥離とは異なり、剥ぎ取られる現象が起き難いという性質を有する。このため、領域２３では、記入片２０の上面の表層は、剥ぎ取られない。
【００３２】
（４）剥離領域４３
図３（Ｄ）に示すように、剥離は、続いて剥離領域４３を進む。
剥離領域４３では、剥離領域３３と同様に、隠蔽片１０の縁部粘着領域１２の粘着剤１２ａは、容易に剥離する。このため、剥離領域４３では、隠蔽片１０の縁部粘着領域１２の粘着剤１２ａは、記入片２０の上面の表層を剥ぎ取ることがない。
【００３３】
（５）剥ぎ取り領域４１
剥離は、続いて剥ぎ取り領域４１を進む。
剥ぎ取り領域４１の下端には、非貫通部４２が配置されている。このため、剥ぎ取り領域４１の非貫通部４２側かつ上面側の形態は、紙材の端部の上面の形態と同様である。
図４（Ｂ）に示すように、そのため、剥ぎ取り領域４１の上面の表層４１ａは、隠蔽片１０の縁部粘着領域１２の粘着力の作用によって、非貫通部４２から剥ぎ取られる。表層４１ａの剥ぎ取りは、上端（上辺）まで続く。
また、左右方向Ｘにおいては、表層４１ａの剥ぎ取りは、非貫通部４２までで終わる。
このように、隠蔽媒体１は、従来の隠蔽葉書等と同様に、容易に開封できる。
なお、詳細な説明は省略するが、隠蔽媒体１を、右上コーナ部１０ｂから開く場合には、剥離が上記とは上下逆方向に進んで、剥ぎ取り領域３１，４１の表層３１ａ，４１ａが剥ぎ取られる。
【００３４】
また、内粘着領域１１は、端部から数ｍｍ程度離れて配置されている。内粘着領域１１の作用によっては、記入片２０の上面は、剥ぎ取られない。
これにより、記入片２０の記入欄２１は、開封状態において損傷がないので、配達先の作業者は、その記入内容を確認できる。
【００３５】
図４に示すように、隠蔽媒体１は、上記工程を経て正当に開いた開封状態では、記入片２０の剥ぎ取り領域３１，４１の上面の表層３１ａ，４１ａが剥ぎ取られて、隠蔽片１０の縁部粘着領域１２の粘着剤１２ａに付着している。
配達先では、未開封の状態で記入片２０の表層３１ａ，４１ａの剥ぎ取りを確認することにより、送付元で閉じてから配達先で開かれるまでの間に、不正に開かれたか否かを確認できる。隠蔽媒体１は、不正に開いた後に閉じた場合にも、記入片２０の表層３１ａ，４１ａが剥ぎ取られた状態になるからである。
また、剥ぎ取り領域３１，４１は、剥離開始端となる右下コーナ部１０ａ、右上コーナ部１０ｂの両方に設けられている。このため、これらのいずれから開封し、開封を途中で止めた場合でも、剥ぎ取り領域３１，４１のいずれかに、隠蔽媒体１を開いた形跡が確実に残る。
【００３６】
（開封状態での凹凸）
開封状態での隠蔽媒体１の上面の凹凸について説明する。
図４（Ｂ）、図４（Ｃ）に示すように、開封状態では、記入片２０の右縁部には、表層３１ａ，４１ａのみが剥ぎ取られて段３１ｂ，４１ｂが形成され、また、隠蔽片１０の左縁部には、この段３１ｂ，４１ｂに対応した段３１ｃ，４１ｃが形成される。
このため、開封状態の隠蔽媒体１の上面は、凹凸が小さい。つまり、隠蔽媒体１は、孔を開けて開封履歴を残す形態に比べると、厚さの変化が少ない。
また、剥ぎ取り領域３１，４１は、右縁部の両端部（一部）のみの領域に設けられている。このため、開封状態の隠蔽媒体１の上面は、凹部、凸部の面積が少ない。
これにより、記入片２０の記入情報をシートフィード付きのスキャナ等の読み取り装置で読み取る場合に、装置内の紙詰まり等を抑制できる。なお、隠蔽片１０、記入片２０を、折り線５で分離し、記入片２０のみを読み取り装置で読み取れば、紙詰まり等の抑制効果を向上できる。
【００３７】
以上説明したように、本実施形態の隠蔽媒体１は、容易に開封でき、また、配送時等において、不正に開かれた場合にはその形跡を確実に残すことができる。さらに、隠蔽媒体１は、開封状態の上面の凹凸を少なくすることができる。
【００３８】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第２実施形態の隠蔽媒体２０１を説明する図である。
図５（Ａ）は、隠蔽媒体２０１の開状態を上面から見た図（図１（Ａ）に対応する図）である。
図５（Ａ）には、縁部被着領域２２の外形を二点鎖線で示した。
図５（Ｂ）は、隠蔽媒体２０１の閉状態の断面図（図２（Ｃ）に対応する図）である。
図５（Ｃ）は、隠蔽媒体２０１の開封状態の断面図（図４（Ｂ）に対応する図）である。
【００３９】
図５（Ａ）に示すように、隠蔽媒体２０１は、剥ぎ取り領域２５１、非貫通部２５２、剥離領域２５３，２５４を備える。
隠蔽媒体２０１は、剥ぎ取り領域及び剥離領域の複数の組み合わせが、縁部被着領域２２の両端部に加えて、縁部被着領域２２の中央に配置されている。つまり、剥ぎ取り領域２５１、剥離領域２５３，２５４の組み合わせは、両端に配置された剥ぎ取り領域３１、剥離領域３３の組み合せと、剥ぎ取り領域４１、剥離領域４３の組み合せとを結ぶ線上に配置されている。
【００４０】
剥ぎ取り領域２５１の外形は、剥ぎ取り領域２５１と同様な長方形又は正方形である。
非貫通部２５２は、剥ぎ取り領域２５１の全周に設けられている。
剥離領域２５３は、剥ぎ取り領域２５１の上側Ｙ２に設けられている。剥離領域２５４は、剥ぎ取り領域２５１の下側Ｙ１に設けられている。
剥ぎ取り領域２５１の上側Ｙ２は、隠蔽片１０を右下コーナ部１０ａ（図２（ａ）参照）から剥離する場合に、隠蔽片１０が剥ぎ取り領域２５１から続いて剥離する領域である。一方、剥ぎ取り領域２５１の下側Ｙ１は、隠蔽片１０を右下コーナ部１０ａ（図２（ａ）参照）から剥離する場合に、隠蔽片１０が剥ぎ取り領域２５１から続いて剥離する領域である。
【００４１】
隠蔽媒体２０１の開封作業について説明する。
図５（Ｂ）に示すように、閉状態では、隠蔽片１０の縁部粘着領域１２の粘着剤１２ａは、剥ぎ取り領域３１，４１，２５１に粘着している。
以下、第１実施形態と同様に、隠蔽片１０を右下コーナ部１０ａから剥離する例を説明する。
剥離領域２５４の下端までの剥離は、第１実施形態と同様である。
隠蔽片１０の剥離は、剥離領域２５４、剥ぎ取り領域２５１、剥離領域２５３を、以下のように進む（図５（Ａ）の矢印Ａ２２参照）。
【００４２】
（１）剥離領域２５４
剥離領域２５４では、隠蔽片１０の縁部粘着領域１２の粘着剤１２ａは、記入片２０から容易に剥離する。このため、剥離領域２５４では、上面の表層の剥ぎ取りは、発生しない。
（２）剥ぎ取り領域２５１
剥離は、続いて剥ぎ取り領域２５１を進む。
この剥離は、第１実施形態の図３（Ｂ）と同様である。つまり、剥ぎ取り領域２５１の上面の表層２５１ａの剥ぎ取りが、非貫通部２５２の下辺から始まる。
（３）剥離領域２５３
剥離は、続いて剥離領域２５３を進む。
この剥離は、第１実施形態の図３（Ｃ）と同様である。つまり、剥離領域２５３の上面は、剥ぎ取られることはない。
また、上記（２）の剥ぎ取りは、非貫通部２５２の上辺、左辺、右辺で終了する。
その後の剥離は、第１実施形態と同様である。
【００４３】
図５（Ｂ）に示すように、隠蔽媒体２０１は、上記工程を経て開いた開状態では、記入片２０の剥ぎ取り領域３１，４１，２５１の上面の表層３１ａ，４１ａ，２５１ａが剥ぎ取られて、隠蔽片１０の縁部粘着領域１２の粘着剤１２ａに付着している。
なお、詳細な説明は省略するが、隠蔽媒体１を、右上コーナ部１０ｂから開く場合には、剥離が上記とは上下逆方向に進んで、剥ぎ取り領域３１，４１の表層３１ａ，４１ａが剥ぎ取られる。
【００４４】
以上説明したように、本実施形態の隠蔽媒体２０１は、剥ぎ取り領域の数を増やすことにより、これらの表層の剥ぎ取りが目立つ。これにより、作業者は、隠蔽媒体２０１が開封されたか否かを、一目瞭然で確認できる。
なお、本実施形態では、剥ぎ取り領域２５１、非貫通部２５２、剥離領域２５３，２５４の組み合わせを、１つ設けた例を示したが、これに限定されず、縁部被着領域２２上に複数設けてもよい。
【００４５】
また、隠蔽媒体２０１は、場合によっては、右下コーナ部１０ａ又は右上コーナ部１０ｂではなく、右縁部から開封される場合がある（図５（Ａ）に示す矢印Ａ２３参照）。
この場合、剥離が右縁部から順に非貫通部２５２の右辺部、剥ぎ取り領域２５１を進む態様は、前述した剥離が剥ぎ取り領域３１を進む態様（図３（Ｂ）参照）、又は剥離が剥ぎ取り領域４１を進む態様（図３（Ｄ）参照）と、ほぼ同様である。
このため、隠蔽媒体２０１は、右縁部から開封された場合であっても、剥ぎ取り領域２５１が剥ぎ取られる。これにより、隠蔽媒体２０１は、この場合であっても、開封されたか否かを確認できる。
【００４６】
（第３実施形態）
次に、本発明の第３実施形態について説明する。
図６は、第３実施形態の隠蔽媒体３０１の開状態を上面から見た図（図１（Ａ）に対応する図）である。
第３実施形態の隠蔽媒体３０１は、剥ぎ取り領域、非貫通部、剥離領域の形状を、第２実施形態から変更した。
つまり、縁部被着領域２２の両端に配置された剥ぎ取り領域３３１，３４１、非貫通部３３２，３４２の形状は、半円である。
また、縁部被着領域２２の中央に配置された剥ぎ取り領域３５１、非貫通部３５２の形状は、円形である。
【００４７】
詳細な説明は省略するが、この構成であっても、隠蔽媒体３０１の開封状態では、剥ぎ取り領域３３１，３４１，３５１の表層は、縁部粘着領域１２の粘着剤１２ａによって、剥ぎ取られる。このため、隠蔽媒体３０１は、前述した実施形態と同様な効果を奏する。
このように、剥ぎ取り領域、非貫通部、剥離領域の形状は、適宜設定することができる。
【００４８】
（第４実施形態）
次に、本発明の第４実施形態について説明する。
なお、第４実施形態の説明及び図面において、第２実施形態と同様の機能を果たす部分には、同一の符号又は末尾（下２桁）に同一の符号を適宜付して、重複する説明を適宜省略する。
図７は、第４実施形態の隠蔽媒体４０１の開状態、閉状態を上面から見た図である。
隠蔽媒体４０１の剥ぎ取り領域４３１，４４１，４５１の左右方向Ｘの幅Ｌ４は、第２実施形態のものよりも小さい。また、左右方向Ｘにおいて、剥ぎ取り領域４３１，４４１，４５１は、縁部被着領域２２の内側に配置される。このため、非貫通部４３２，４４２，４５２も、縁部被着領域２２の内側に配置される。
これにより、隠蔽媒体４０１は、剥ぎ取り領域４３１，４４１，４５１の全範囲を、縁部粘着領域１２の接着剤１２ａに確実に粘着させることにより、開封時にこれら全範囲を確実に剥ぎ取ることができる。
【００４９】
（第５実施形態）
次に、本発明の第５実施形態について説明する。
図８は、第５実施形態の隠蔽媒体５０１の開状態、閉状態を上面から見た図である。
本実施形態の剥離領域５３３，５４３は、非貫通部３２，４２を跨って、剥ぎ取り領域５３１，５４１の一部の範囲にも設けられている。
このため、非貫通部３２，４２の内側の領域には、剥ぎ取り領域５３１，５４１と、剥離領域５３３，５４３とが重複する重複領域５３５，５４５を有する。
【００５０】
このように、隠蔽媒体５０１は、重複領域５３５，５４５を有するので、非貫通部３２，４２、剥離領域５３３，５４３の加工時の位置ずれを、許容できる。これにより、隠蔽媒体５０１は、製造が容易である。
重複領域５３５，５４５の縦方向Ｙの長さは、この位置ずれを吸収できる程度（例えば１ｍｍ程度）であればよい。このため、この長さは、十分に短い。
【００５１】
図８（Ｂ）に示すように、隠蔽媒体５０１を右下コーナ部から開封する場合に、右縁部を進む剥離について説明する（矢印Ａ５２参照）。
下辺側の剥ぎ取り領域５３１、非貫通部３２、剥離領域５３３は、第１実施形態と同様に、剥ぎ取り領域５３１の表層が、剥ぎ取られる。この場合、剥ぎ取り領域５３１の下側の領域５３６から連続して、重複領域５３５が剥ぎ取られる。
また、上辺側の剥ぎ取り領域５４１の表層も剥離が非貫通部４２により、重複領域５４５から領域５４６へ跨って上側Ｙ２に進む場合に剥ぎ取られる。ここで、隠蔽片１０は、重複領域５４５の表層から剥離し易い。但し、前述したように、重複領域５４５は、縦方向Ｙの長さが十分に短い。このため、剥離は剥ぎ取り領域５４１が重複領域５４５からその上側Ｙ２の領域５４６を進む場合に、重複領域５４５の表層は、領域５４６の表層と一緒に剥離する。
また、隠蔽媒体５０１を右上コーナ部から開封する場合には、剥離が上記とは上下逆方向に進んで、剥ぎ取り領域５４１，５３１の表層が剥ぎ取られる。
【００５２】
以上説明したように、本実施形態の隠蔽媒体５０１は、開封を確認できる上に、製造が容易である。
なお、上記説明では、剥ぎ取り領域５３１，５４１の両方が剥ぎ取られる例を示したが、これに限定されない。
例えば、重複領域５３５，５４５の縦方向Ｙの長さが十分に長い形態では、これら２つのうち開封側のものは、剥ぎ取られるが、他方は、剥ぎ取られない場合がある。例えば、右下コーナ部から開封する場合には、下辺側の剥ぎ取り領域５３１は、確実に剥ぎ取られるのに対して、上辺側の剥ぎ取り領域５４１は、剥ぎ取られない場合がある。剥離が非貫通部４２を跨って上側Ｙ２に進む場合に、隠蔽片１０は、重複領域５４５の剥離層の作用によって、剥ぎ取り領域５４１の表層から容易に剥離してしまうからである。
この形態であっても、配達先では、未開封の状態で剥ぎ取り領域５３１，５４１のうち少なくとも１つが剥ぎ取られていた場合には、送付元で閉じてから配達先で開かれるまでの間に、不正に開かれたことを確認できる。
【００５３】
（第６実施形態）
次に、本発明の第６実施形態について説明する。
なお、第６実施形態の説明及び図面において、第２実施形態と同様の機能を果たす部分には、同一の符号又は末尾（下２桁）に同一の符号を適宜付して、重複する説明を適宜省略する。
図９は、第６実施形態の隠蔽媒体６０１の開状態、閉状態を上面から見た図である。
本実施形態の隠蔽媒体６０１は、第２実施形態とは、以下の点が異なる。
左右方向Ｘにおいて、隠蔽片１０の長さと、記入片２０の長さとは、等しい。つまり、隠蔽片１０の外形と、記入片２０の外形とは、等しい。
縁部粘着領域６１２は、隠蔽片１０の上辺及び下辺から離れて配置されている（図８（Ｂ）に示す長さＬ６１２，Ｌ６１４参照）。
剥ぎ取り領域６５１，剥離領域６５３，６５４は、記入片２０の右辺まで連続するように配置されている。剥ぎ取り領域６５１は、非貫通部６５２と、記入片２０の右辺とに囲まれた領域である。
【００５４】
上記構成により、隠蔽媒体６０１は、閉状態では、隠蔽片１０の外形と、記入片２０の外形とが一致する。
また、隠蔽媒体６０１の周囲には、内粘着領域１１の粘着剤１１ａが露出していないことに加えて、縁部粘着領域６１２の粘着剤６１２ａが露出しない。このため、隠蔽媒体６０１は、他の部材に付着することを、より確実に抑制することができる。
なお、縁部粘着領域６１２と隠蔽片１０の下辺部との長さＬ６１２は、粘着剤６１２ａが周囲に露出しない程度（例えば１〜２ｍｍ程度）であればよい。このため、長さＬ６１２は、十分に短い。上辺部側の長さＬ６１４も同様である。
【００５５】
図９（Ｂ）に示すように、隠蔽媒体６０１を右下コーナ部から開封する場合に、右縁部を進む剥離について説明する（矢印Ａ６２参照）。
下辺側の剥ぎ取り領域３１は、長さＬ６１２の範囲において、隠蔽片１０に粘着していないが、前述したように、長さＬ６１２の長さは、十分に短い。このため、剥ぎ取り領域３１の表層は、第１実施形態と同様に、下端から剥ぎ取られる。
【００５６】
剥ぎ取り領域６５１は、記入片２０の右辺部まで設けられているが、右辺部から縁部粘着領域６１２（縁部被着領域６２２）までの長さＬ６１３は、十分に短い（例えば、１〜２ｍｍ程度）。このため、剥ぎ取り領域６５１の表層は、第２実施形態と同様に、剥ぎ取られる。
上辺側の剥ぎ取り領域４１においても、粘着されていない長さＬ６１４の範囲が十分に短い。このため、剥ぎ取り領域４１は、第１実施形態と同様に、上端まで剥ぎ取られる。
【００５７】
また、隠蔽媒体６０１は、第２実施形態で説明したように、右下コーナ部又は右上コーナ部ではなく、右縁部から開封される場合がある（図９（Ｂ）に示す矢印Ａ６３参照）。
この場合にも、長さＬ６１３が十分に短いので、剥ぎ取り領域６５１は、剥ぎ取られる。これにより、隠蔽媒体６０１は、この場合であっても、開封されたか否かを確認できる。
【００５８】
なお、本実施形態の隠蔽片１０の外形と記入片２０の外形とが等しい構成、縁部粘着領域６１２の粘着剤６１２ａが周囲に露出しない構成は、前述した実施形態に適用してもよい。
【００５９】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６０】
（変形形態）
（１）実施形態において、隠蔽媒体は、送付元から配達先に、配達者によって配達される例を示したが、これに限定されない。
例えば、隠蔽媒体は、１つの施設内において、各部署で記入した隠蔽情報を、他の部署へと伝えるために利用されるものであってもよい。
また、隠蔽媒体は、クジ等に利用されるものでもよい。この場合には、クジの開催者が隠蔽情報として「当たり」、「はずれ」等と記入片に記入して閉じ、その後、クジの購入者等が開封すればよい。
【００６１】
（２）実施形態において、内粘着領域は、隠蔽片の下辺、上辺から離れて配置されている例を示したが、これに限定されない。内粘着領域は、隠蔽片の下辺、上辺まで配置してもよく、つまり、隠蔽片の縦方向の全範囲に渡って設けてもよい。この場合には、隠蔽片及び記入片の上縁部を密閉でき、また、下縁部を密閉できる。これにより、閉状態の隠蔽媒体を取り扱う場合に、隠蔽片及び記入片間に他の部材が引っ掛かることを抑制できるので、隠蔽媒体が不意に開いてしまうこと等を抑制できる。なお、内粘着領域の粘着剤の粘着力は、十分に弱い。このため、この形態であっても、隠蔽媒体は、閉状態において、他の部材に付着することを抑制できる。
【符号の説明】
【００６２】
１，２０１，３０１，４０１，５０１，６０１  隠蔽媒体
５  折り線
１０  隠蔽片
１２，６１２  縁部粘着領域
１２ａ，６１２ａ  接着剤
２０  記入片
２２，６２２  縁部被着領域
３１，４１，２５１，３５１，４３１，４４１，４５１，５３１，５４１，６５１  剥ぎ取り領域
３２，４２，２５２，３５２，４３２，４４２，４５２，６５２  非貫通部
３３，４３，２５３，２５４，３５３，３５４，５３３，５４３，６５３，６５４  剥離領域
５３５，５４５  重複領域
【図１】
0006536014.tif 000002
【図２】
0006536014.tif 000003
【図３】
0006536014.tif 000004
【図４】
0006536014.tif 000005
【図５】
0006536014.tif 000006
【図６】
0006536014.tif 000007
【図７】
0006536014.tif 000008
【図８】
0006536014.tif 000009
【図９】
0006536014.tif 000010